(57)【要約】      （修正有）【課題】日常生活におけるテーブルの利便性を確保しつつ卓球台としても満足できる使用感が得られるテーブル兼卓球台を提供する。【解決手段】テーブル兼卓球台は、天板３と、天板の下面中央に上端側が固定された支持脚５と、天板よりも狭い面積を有し、支持脚の下端側が固定されたベース板７とを備える。フットペダル１５を踏むとガス圧シリンダを内蔵した支持脚の可動筒が上昇して天板が卓球台として使用する高さに設定される。天板の上面には長手方向に沿って面積を二等分する中央白線９が設けられているとともに、外周縁に沿う縁白線１１が全周に亘って設けられている。またワンタッチ操作で取り付けが可能な市販のポータブル型のネット２５を有する。卓球台として使用する場合でもテーブルとして使用する場合でも天板の下方に自由度の大きい空間が確保される。【選択図】図３
0003226458.tif 000002
【実用新案登録請求の範囲】
【請求項１】
天板と、該天板の下面中央に上端側が固定された支持脚と、前記天板よりも狭い面積を有し前記支持脚の下端側が固定されたベース板とを備え、前記天板の上面には該天板の長手方向に沿って面積を二等分する中央ラインが設けられていることを特徴とするテーブル兼卓球台。
【請求項２】
請求項１に記載したテーブル兼卓球台において、
前記天板の外周縁に沿う縁ラインを有していることを特徴とするテーブル兼卓球台。
【請求項３】
請求項２に記載したテーブル兼卓球台において、
前記中央ラインと前記縁ラインが白色であることを特徴とするテーブル兼卓球台。
【請求項４】
請求項１から３のいずれかに記載したテーブル兼卓球台において、
前記支持脚が前記天板の高さを調整可能な構成を有していることを特徴とするテーブル兼卓球台。
【請求項５】
請求項４に記載したテーブル兼卓球台において、
前記支持脚がガス圧で無段階に高さを調整する構成を有していることを特徴とするテーブル兼卓球台。
【請求項６】
請求項１から５のいずれかに記載したテーブル兼卓球台において、
前記天板の前記中央ラインに沿う両側面の中央に、卓球用ネットの装着位置を示す目印が設けられていることを特徴とするテーブル兼卓球台。
【考案の詳細な説明】
【技術分野】
【０００１】
本考案は、日常生活で使用するテーブルと卓球台の両方に使用できるテーブル兼卓球台に関するものである。
【背景技術】
【０００２】
卓球専用台は広い占有面積を取るため、限られたスペースの自宅には不向きである。
折り畳み式の卓球台もあるが、卓球を行わないときでもある程度の占有面積をとることには専用台と変わりはない。また、折り畳み、展開の作業をいちいち行う必要があり面倒である。
【０００３】
一方、家庭用サイズの卓球専用台を日常生活のテーブルとして使用し、卓球をするときだけネットを取り付けることも考えられるが、専用台は天板の四隅近傍に支持脚があり、これらの支持脚は天板を安定に支持するために横方向又は縦方向において互いに連結されているとともに、天板との間は斜交いで連結されている。
このため、天板の下方における空間が筋交いなどで制約されるためにイスの配置が制限されたり、イスに座ったときに足が筋交いに当たったりするおそれがあり、テーブルとして使用するのはかなり無理がある。
【０００４】
特許文献１には、日常生活において卓球台として兼用することが可能なテーブルが提案されている。このテーブルは、天板中央部にその長手方向と交差する方向に細溝を形成し、このスリットに雑誌や新聞等の仕切り物を挿入してネット代わりとするものである。天板は４つの脚部材で支持されており、天板の下側には脚部材で支持された棚部材が設けられている。棚部材は、新聞等の仕切り物を受ける受け部材や、卓球ボールやラケットを置く構成を有している。
【先行技術文献】
【特許文献】
【０００５】
【特許文献１】特開２００６−３１４５７９号公報
【考案の概要】
【考案が解決しようとする課題】
【０００６】
特許文献１に記載のテーブルは、卓球をする上で必要なネットがなくても日常の生活用品を利用して卓球が楽しめるというものである。しかしながら、天板の下方において４本の脚部材で棚部材が支持される構成であるため、天板下方の空間の大部分が棚部材で占有されたものとなっている。棚部材の存在は卓球台として使用する時のみ意味をなすものであり、テーブルとしての使用時にはその構成が利便性を著しく妨げることとなる。
【０００７】
ところで、近年においては、自宅のテーブルを卓球台に代えることを謳った簡易グッズとしてポータブルタイプの卓球ネットが市販されており、テーブルの縁を挟んで簡単に固定してネットを構成することができるようになっている。プラスチック製の２つの円筒状の支柱の一方にネットがバネ力で巻回収納されており、支柱間を離すことによりネットが引き出される構成となっている。一方の支柱をテーブルの一端に固定した後に他方の支柱を他端側に移動させてネットを引き出し、他方の支柱を固定することによりネットの張り付けが完了する。２つの支柱をテーブルから取り外せば、バネ力でネットが一方の支柱内に巻き込まれ、２つの支柱が密接したコンパクトな収納状態（保管状態）を得ることができる。
【０００８】
このようなポータブルタイプの卓球ネットを使えば、テーブル側にネット構成のための対策を施さなくても自宅のテーブルを簡単な操作で卓球台として使用することができるが、テーブルの天板には面積の区分けが無いため、卓球台として満足できる使用感は得られなかった。
【０００９】
本考案は上記従来の問題点に着目して為されたものであり、日常生活におけるテーブルの利便性を確保しつつ卓球台としても満足できる使用感が得られるテーブル兼卓球台の提供を、その目的とする。
【課題を解決するための手段】
【００１０】
本考案は、上記目的を達成するために為されたものであり、請求項１の考案は、天板と、該天板の下面中央に上端側が固定された支持脚と、前記天板よりも狭い面積を有し前記支持脚の下端側が固定されたベース板とを備え、前記天板の上面には該天板の長手方向に沿って面積を二等分する中央ラインが設けられていることを特徴とするテーブル兼卓球台である。
【００１１】
請求項２の考案は、請求項１に記載したテーブル兼卓球台において、前記天板の外周縁に沿う縁ラインを有していることを特徴とするテーブル兼卓球台である。
【００１２】
請求項３の考案は、請求項２に記載したテーブル兼卓球台において、前記中央ラインと前記縁ラインが白色であることを特徴とするテーブル兼卓球台である。
【００１３】
請求項４の考案は、請求項１から３のいずれかに記載したテーブル兼卓球台において、前記支持脚が前記天板の高さを調整可能な構成を有していることを特徴とするテーブル兼卓球台である。
【００１４】
請求項５の考案は、請求項４に記載したテーブル兼卓球台において、前記支持脚がガス圧で無段階に高さを調整する構成を有していることを特徴とするテーブル兼卓球台である。
【００１５】
請求項６の考案は、請求項１から５のいずれかに記載したテーブル兼卓球台において、前記天板の前記中央ラインに沿う両側面の中央に、卓球用ネットの装着位置を示す目印が設けられていることを特徴とするテーブル兼卓球台である。
【考案の効果】
【００１６】
本考案によれば、日常生活におけるテーブルの利便性を確保しつつ卓球台としても満足できる使用感が得られるテーブル兼卓球台を提供することができる。
【図面の簡単な説明】
【００１７】
【図１】本考案の実施の形態に係るテーブル兼卓球台の卓球台としての使用時におけるネットを張っていない状態の斜視図である。
【図２】図１で示したテーブル兼卓球台の天板の高さ調整機能を示す図である。
【図３】図１で示したテーブル兼卓球台にネットを張った状態の斜視図である。
【図４】図１で示したテーブル兼卓球台をテーブルとして使用しているときの側面図である。
【考案を実施するための形態】
【００１８】
以下、本考案の実施の形態について図を参照して説明する。
図１に示すように、本実施の形態に係るテーブル兼卓球台１は、天板３と、この天板３の下面中央に上端側が固定された支持脚５と、天板３よりも狭い面積を有し、支持脚５の下端側が固定されたベース板７とを備えている。
天板３は、横幅Ｗが７５ｃｍで縦幅Ｌが１２０ｃｍの長方形状に形成され、上面には天板３の長手方向に沿って面積を二等分する中央ラインとしての中央白線９が設けられている。また、天板３の上面には、外周縁に沿う縁ラインとしての縁白線１１が全周に亘って設けられている。本実施の形態における中央白線９の幅は２ｍｍで、縁白線１１の幅は１０ｍｍである。本明細書において、「長手方向」は、天板３が正方形の場合には、縦、横のいずれでも含まれることを意味する。
【００１９】
天板３の色は、中央白線９や縁白線１１の白色と補色関係にある色またはこれに近い色が望ましく、本実施の形態ではブラウンとしている。木質系（ナチュラル）や青系、黒系の色でもよい。ベース板７の色も天板３と同色系としている。
【００２０】
支持脚５は、ベース板７に固定された外筒１３と、ガス圧シリンダを内蔵して外筒１３内に挿入され、フットペダル１５を押し下げることによりガス圧で上昇する可動筒１７と、可動筒１７の上端に固定された、天板３の裏面に対する固定用プレート１９とを有している。可動筒１７の上端は固定用プレート１９を介して不図示の複数のネジで天板３の裏面に固定されている。
フットペダル１５を足で踏んで押し下げると、外筒１３に対する可動筒１７のロックが解除され、可動筒１７がガス圧で上昇する。フットペダル１５を離すと外筒１３と可動筒１７とがロックされて天板３を所望の高さに設定することができる。すなわち、支持脚５は天板３の高さを調整可能な構成を有しており、具体的には図２に示すように、ガス圧で無段階に天板３の高さを調整する構成を有している。本実施の形態では、天板３の床面からの高さＨを、約４９ｃｍ〜約７０ｃｍの範囲内で無段階に調整できるようになっている。天板３の位置を下げるときはフットペダル１５を踏んだ状態で天板３を押し下げる。
ガス圧シリンダを内蔵した昇降用の支持脚５は、色やサイズ、高さ調整範囲が異なる種々のものが市販されており、目的のテーブル兼卓球台の構成に合ったものを適宜に選択して採用することができる。
【００２１】
図１は、天板３を卓球台として用いる高さとした状態を示している。天板３の中央白線９に沿う両側面３ａの中央には、囲み円で拡大して示すように、後述の卓球用ネットの装着位置を示す目印としての縦ライン２３が設けられている。
【００２２】
図３は、図１で示した卓球台としての使用状態で、天板３にネット２５を張った状態を示している。ネット２５は上述した市販のものを使用している。すなわち、ネット２５はプラスチック製の一対の支柱２７Ａ、２７Ｂと、一方の支柱にバネ力で巻き込まれて収納されたネット本体２９を有している。
支柱２７Ａ、２７Ｂはレバー３１を押し下げると、下端に凹部３３が形成される構成を有しており、この凹部３３を天板３の縁に嵌合して天板３を挟み込むことにより固定することができる。
なお、図３では分かり易くするために、図１で示した支持脚５の天板３に対する固定部位周辺の表示（破線）を省略している。
【００２３】
天板３は中央を１本の支持脚５で支えられているだけであるので、天板３の下面には自由度の大きいスペースが３６０°の範囲で存在する。この天板３の下方における自由度の大きさは、図４に示すように、テーブルとして使用する際に利便性を向上させる。すなわち、天板３の四隅に支持脚が無いので、イス３５の配置が制限されたり、イス３５に座ったときに足が支持脚に当たったりすることはない。
【００２４】
以上、本考案の実施の形態について詳述してきたが、具体的構成は、上記の各実施の形態に限定されるものではなく、本考案の趣旨を逸脱しない範囲における設計の変更があっても考案に含まれる。
例えば、上記の実施の形態では中央ラインや縁ラインの色を白色としたが、天板の面積の区画が明確に認識できるのであれば他の色でもよい。また、中央ラインや縁ラインの線幅は上記の数値に限定されない。
縁ラインは必ずしも必要ではない。但し、設けることにより卓球台としての使用感を向上させることができる。
また、上記の実施の形態では、支持脚をガス圧で昇降する構成としたが、例えば外筒と可動筒とをボルトで連結し、ボルトの挿し込み位置を変えて高さを変える構成としてもよい。
天板の側面に設けるネット位置を決める目印も上記の縦ラインに限らず、三角や四角または丸等のマーキングでもよく、側面に直にスリットを形成する方法等でもよい。
天板の色やサイズも上記に限定されず、種々の色やサイズを選択することができる。例えば、天板のサイズは横幅Ｗが５０ｃｍ、縦幅Ｌが９０ｃｍであってもよい。
【符号の説明】
【００２５】
１…テーブル兼卓球台      ３…天板          ５…支持脚        ７…ベース板
９…中央白線            １１…縁白線      １３…外筒        １５…フットペダル
１７…可動筒              ２３…縦ライン
【図１】
0003226458.tif 000003
【図２】
0003226458.tif 000004
【図３】
0003226458.tif 000005
【図４】
0003226458.tif 000006